【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
静脈の中または周囲に埋め込むために構成されるデバイス本体を備える、前記静脈を通る血流を制御するためのデバイスであって、前記デバイス本体は、前記静脈の周囲の組織圧力の増加に応答して、前記静脈を通る流れを低減させることが可能である、デバイス。
【請求項２】
前記デバイス本体は、前記静脈の周囲に埋め込むために構成される、開放または閉鎖リングである、請求項１に記載のデバイス。
【請求項３】
前記リングは、前記静脈に隣接する前記組織圧力の増加が、前記静脈の長手軸に対して前記リングの配向を変化させるようなサイズおよび形状にされる、請求項１に記載のデバイス。
【請求項４】
前記リングは、前記力が前記リングの対向する端部に印加されるときに、前記静脈の前記長手軸に対して前記配向を変化させるように構成される、請求項２に記載のデバイス。
【請求項５】
前記デバイス本体は、前記静脈内に埋め込むために構成される、弾性により変形可能な要素を含む、請求項１に記載のデバイス。
【請求項６】
前記要素は、前記静脈の周囲の前記組織圧力の増加に応答して、相互に対して角度を付けることが可能である、２つの実質的に平坦なアームを含む、請求項１に記載のデバイス。
【請求項７】
前記要素の流れ制限能力は、前記アームが相互に対して角度を付けられるときに増加する、請求項６に記載のデバイス。
【請求項８】
前記静脈の管腔の形状は、相互に対して前記実質的に平坦なアームの角度付けによって修正される、請求項７に記載のデバイス。
【請求項９】
前記アームは、実質的に卵形のループである、請求項６に記載のデバイス。
【請求項１０】
前記アームは、ループ状のＮｉｔｉｎｏｌワイヤから形成される、請求項６に記載のデバイス。
【請求項１１】
前記静脈は、背部静脈であり、前記組織は、陰茎海綿体である、請求項１に記載のデバイス。
【請求項１２】
前記組織圧力の増加は、陰茎勃起に起因する、請求項１１に記載のデバイス。
【請求項１３】
請求項１のデバイスと、前記静脈の中または周囲に前記デバイスを送達するための送達デバイスとを備える、静脈を通る血流を制御するためのシステム。
【請求項１４】
前記デバイス本体は、前記静脈の周囲の前記組織によってそれに付与される力に応答して圧縮することが可能である、選択されるばねとして構成される、請求項１に記載のデバイス。
【請求項１５】
静脈を通る血流を制御するためのシステムであって、
（ａ）前記静脈を通る血流を低減させるようにそれを通して位置付けられるときに、前記静脈の領域を圧縮するためのサイズおよび構成にされるクリップと、
（ｂ）静脈の上を覆う組織を貫通し、前記静脈の前記壁を通して前記クリップを送達するための送達デバイスと、
を備える、システム。
【請求項１６】
前記クリップは、血管内領域を介して前記静脈を通して相互接続された前記静脈に隣接するための２つの要素を含む、請求項１５に記載のシステム。
【請求項１７】
前記要素のうちの少なくとも１つは、組織穿刺端を含む、請求項１６に記載のシステム。
【請求項１８】
前記要素のうちの少なくとも１つは、弾性により圧縮可能である、請求項１６に記載のシステム。
【請求項１９】
前記クリップは、直線状支柱を介して連結される２つのばね領域を含む、請求項１５に記載のシステム。
【請求項２０】
前記クリップは、送達後に組織圧縮形状をとることが可能な形状記憶材料から製作される、請求項１５に記載のシステム。
【請求項２１】
前記組織圧縮形状は、コイルであり、前記クリップは、前記送達デバイスの中に配置されたときに実質的に直線状の構成をとる、請求項２０に記載のシステム。
【請求項２２】
前記クリップは、それに印加される外圧下で前記静脈の圧潰を促進するために構成される、請求項１５に記載のシステム。
【手続補正２】
【補正対象書類名】明細書
【補正対象項目名】００３８
【補正方法】変更
【補正の内容】
【００３８】
別様に定義されない限り、本明細書で使用される全ての技術および科学用語は、本発明が属する技術分野の当業者によって一般的に理解されるのと同一の意味を有する。本明細書に説明されるものに類似する、または同等である方法および材料が、本発明の実践もしくは試験で使用されることができるが、好適な方法および材料が以下で説明される。矛盾する場合、定義を含む特許明細書が優先し得る。加えて、材料、方法、および実施例は、例証的にすぎず、限定的であることを意図していない。
本願明細書は、例えば、以下の項目も提供する。
（項目１）
静脈の中または周囲に埋め込むために構成されるデバイス本体を備える、前記静脈を通る血流を制御するためのデバイスであって、前記デバイス本体は、前記静脈の周囲の組織圧力の増加に応答して、前記静脈を通る流れを低減させることが可能である、デバイス。
（項目２）
前記デバイス本体は、前記静脈の周囲に埋め込むために構成される、開放または閉鎖リングである、項目１に記載のデバイス。
（項目３）
前記リングは、前記静脈に隣接する前記組織圧力の増加が、前記静脈の長手軸に対して前記リングの配向を変化させるようなサイズおよび形状にされる、項目１に記載のデバイス。
（項目４）
前記リングは、前記力が前記リングの対向する端部に印加されるときに、前記静脈の前記長手軸に対して前記配向を変化させるように構成される、項目２に記載のデバイス。
（項目５）
前記デバイス本体は、前記静脈内に埋め込むために構成される、弾性により変形可能な要素を含む、項目１に記載のデバイス。
（項目６）
前記要素は、前記静脈の周囲の前記組織圧力の増加に応答して、相互に対して角度を付けることが可能である、２つの実質的に平坦なアームを含む、項目１に記載のデバイス。
（項目７）
前記要素の流れ制限能力は、前記アームが相互に対して角度を付けられるときに増加する、項目６に記載のデバイス。
（項目８）
前記静脈の管腔の形状は、相互に対して前記実質的に平坦なアームの角度付けによって修正される、項目７に記載のデバイス。
（項目９）
前記アームは、実質的に卵形のループである、項目６に記載のデバイス。
（項目１０）
前記アームは、ループ状のＮｉｔｉｎｏｌワイヤから形成される、項目６に記載のデバイス。
（項目１１）
前記静脈は、背部静脈であり、前記組織は、陰茎海綿体である、項目１に記載のデバイス。
（項目１２）
前記組織圧力の増加は、陰茎勃起に起因する、項目１１に記載のデバイス。
（項目１３）
項目１のデバイスと、前記静脈の中または周囲に前記デバイスを送達するための送達デバイスとを備える、静脈を通る血流を制御するためのシステム。
（項目１４）
前記デバイス本体は、前記静脈の周囲の前記組織によってそれに付与される力に応答して圧縮することが可能である、選択されるばねとして構成される、項目１に記載のデバイス。
（項目１５）
静脈を通る血流を制御するためのシステムであって、
（ａ）前記静脈を通る血流を低減させるようにそれを通して位置付けられるときに、前記静脈の領域を圧縮するためのサイズおよび構成にされるクリップと、
（ｂ）静脈の上を覆う組織を貫通し、前記静脈の前記壁を通して前記クリップを送達するための送達デバイスと、
を備える、システム。
（項目１６）
前記クリップは、血管内領域を介して前記静脈を通して相互接続された前記静脈に隣接するための２つの要素を含む、項目１５に記載のシステム。
（項目１７）
前記要素のうちの少なくとも１つは、組織穿刺端を含む、項目１６に記載のシステム。
（項目１８）
前記要素のうちの少なくとも１つは、弾性により圧縮可能である、項目１６に記載のシステム。
（項目１９）
前記クリップは、直線状支柱を介して連結される２つのばね領域を含む、項目１５に記載のシステム。
（項目２０）
前記クリップは、送達後に組織圧縮形状をとることが可能な形状記憶材料から製作される、項目１５に記載のシステム。
（項目２１）
前記組織圧縮形状は、コイルであり、前記クリップは、前記送達デバイスの中に配置されたときに実質的に直線状の構成をとる、項目２０に記載のシステム。
（項目２２）
前記クリップは、それに印加される外圧下で前記静脈の圧潰を促進するために構成される、項目１５に記載のシステム。
（項目２３）
静脈を通る血流を制御する方法であって、
（ａ）クリップの両端部が、前記静脈を通して位置付けられた血管内領域を伴って前記静脈の対向する外壁に当接するように、前記静脈の壁を通して前記血管内領域を介して相互接続される２つの端部を有する、クリップを送達するステップと、
（ｂ）前記クリップを解放し、それによって、前記静脈の前記領域を圧縮し、それを通る流れを低減させるステップと、
を含む、方法。
（項目２４）
前記クリップは、それに印加される外圧下で前記静脈の圧潰を促進するように構成される、項目２３に記載の方法。